(57)【要約】【課題】  複数の表示装置を使用してプレゼンテーションを行う場合に、簡単な操作で所望のページを順次切り替えて表示させることができる仕組みを提供する。【解決手段】  複数のページからなる表示用データに含まれる各ページの画像データを複数の表示装置のそれぞれに出力して表示させる場合に、ユーザからの次操作の指示に応じて前記表示用データに含まれる複数のページのうち互いに異なるページを前記複数の表示装置のそれぞれに順次表示させるためのページ指定データを予め作成しておき、ユーザからの次操作の指示がある毎に、前記作成されたページ指定データに基づいて、前記表示用データに含まれる複数のページのうち互いに異なるページの画像データを前記複数の外部表示装置のそれぞれに出力することを特徴とする。【選択図】  図５
2009251867.tif 000002
【特許請求の範囲】
【請求項１】
複数のページからなる表示用データに含まれる各ページの画像データを複数の表示装置のそれぞれに出力して表示させるデータ処理装置であって、
ユーザからの次操作の指示に応じて前記表示用データに含まれる複数のページのうち互いに異なるページを前記複数の表示装置のそれぞれに順次表示させるためのページ指定データを作成する作成手段と、
ユーザからの次操作の指示がある毎に、前記作成手段により作成されたページ指定データに基づいて、前記表示用データに含まれる複数のページのうち互いに異なるページの画像データを前記複数の表示装置のそれぞれに出力する制御手段と、
を有することを特徴とするデータ処理装置。
【請求項２】
前記表示用データを記憶する記憶手段を更に有し、
前記制御手段は、ユーザからの次操作の指示がある毎に、前記複数の表示装置のそれぞれに表示させるべきページの画像データを前記記憶手段から読み出して、前記複数の表示装置のそれぞれに出力することを特徴とする請求項１記載のデータ処理装置。
【請求項３】
前記記憶手段に記憶されている表示用データと対応付けて、前記作成手段により作成された前記ページ指定データを保持する保持手段を更に有することを特徴とする請求項２に記載のデータ処理装置。
【請求項４】
前記保持手段は、前記記憶手段に記憶されている１つの表示用データと対応付けて、互いに内容が異なる複数の前記ページ指定データを保持することを特徴とする請求項３に記載のデータ処理装置。
【請求項５】
前記作成手段は、ユーザからの指示に従って前記ページ指定データを作成することを特徴とする請求項１乃至４のいずれか１項に記載のデータ処理装置。
【請求項６】
前記画像データの出力先として使用可能な表示装置の数と、前記ページ指定データにおいて画像データの出力先として指定されている表示装置の数とを比較して、前記ページ指定データの内容を自動的に修正する修正手段を更に有することを特徴とする請求項１乃至５のいずれか１項に記載のデータ処理装置。
【請求項７】
前記複数の表示装置においてそれぞれ同時に表示される各ページの画像データをレイアウトして印刷する印刷手段を更に有することを特徴とする請求項１乃至６のいずれか１項に記載のデータ処理装置。
【請求項８】
前記制御手段は、特定のプレゼンテーションアプリケーションが起動している場合に、ユーザからの次操作の指示がある毎に、前記画像データの出力を行うことを特徴とする請求項１乃至７のいずれか１項に記載のデータ処理装置。
【請求項９】
複数のページからなる表示用データに含まれる各ページの画像データを複数の表示装置のそれぞれに出力して表示させるデータ処理装置におけるデータ処理方法であって、
ユーザからの次操作の指示に応じて前記表示用データに含まれる複数のページのうち互いに異なるページを前記複数の表示装置のそれぞれに順次表示させるためのページ指定データを作成する作成工程と、
ユーザからの次操作の指示がある毎に、前記作成工程により作成されたページ指定データに基づいて、前記表示用データに含まれる複数のページのうち互いに異なるページの画像データを前記複数の表示装置のそれぞれに出力する制御工程と、
を有することを特徴とするデータ処理方法。
【請求項１０】
請求項９に記載のデータ処理方法をコンピュータに実行させるためのプログラムを格納したことを特徴とするコンピュータが読み取り可能な記憶媒体。
【請求項１１】
請求項９に記載のデータ処理方法をコンピュータに実行させるためのプログラム。
【発明の詳細な説明】
【技術分野】
【０００１】
本発明は、複数の表示装置に画像データを出力して表示させるデータ処理装置、データ処理方法、記憶媒体、プログラムに関するものである。
【背景技術】
【０００２】
近年、画像データのデジタル化や作成の容易化、ディスプレイなどの表示装置の高画質化や大型化に伴い、コンピュータを利用したプレゼンテーションシステムが普及している。
【０００３】
プレゼンテーションを行うにあたり、多くの場合は、使用される画像データはページ単位で用意され、ディスプレイに表示させる画像データを発表者やその補佐者の操作指示に基づいてページ単位で順次切り替えて表示させながらプレゼンテーションを進めていく。
【０００４】
更に最近では、ディスプレイの低コスト化が進み、１つのプレゼンテーションで複数のディスプレイを同時に使用することも多くなってきている。
【０００５】
このように複数のディスプレイを使ってプレゼンテーションを行うことにより、それぞれ互いに異なるページの画像データを各ディスプレイにそれぞれ同時に表示させることができ、聴衆の理解をより高めることが可能となる。
【０００６】
複数のディスプレイを使用した表示に関する技術として、例えば特許文献１には、電子計算機に接続された２台以上の表示装置を用いて、複数ページからなる表示データをページ単位で順次表示することが記載されている。
【特許文献１】特開平０５−３０３４８３号公報
【発明の開示】
【発明が解決しようとする課題】
【０００７】
複数のディスプレイを使ってプレゼンテーションを行う場合には、発表者は、どのページの画像データをどのディスプレイへ表示するかを、プレゼンテーションを進めながら随時指示する必要がある。
【０００８】
これに対して、上述した特許文献１記載の技術を採用すれば、発表者は簡単な操作を行うことにより、予め用意された画像データに含まれる各ページを順次複数のディスプレイに表示させていくことができる。
【０００９】
しかしながら、複数のページからなる表示用データの各ページを複数のディスプレイのそれぞれに表示させる際に、表示用データの本来のページ順序とは異なる順序で表示させたい場合がある。例えば、目次が記載された１ページ目を常に１つのディスプレイに表示させたままの状態で、２ページ目以降の各ページを順次切り替えて表示させたい場合などが考えられる。
【００１０】
このような場合、やはりプレゼンテーションの最中に発表者が複雑な操作を行ってどのページをどのディスプレイに表示するかを指定しなければならない。従って、発表者にとって大きな負担となってしまう。
【００１１】
また、これに加えて、発表者が不在の場合に、プレゼンテーションで表示される画像データを第三者が入手したとしても、発表者が意図していた順序で各ページの画像データを表示させることは難しいという問題もある。
【００１２】
図１８は、プレゼンテーション処理のワークフローを説明する説明する図である。
【００１３】
図１８において、２０１はプレゼンテーションで表示するためのデータ（表示用データ）で、コンピュータ装置にインストールされている特定のプレゼンテーションアプリケーションにより作成される。表示用データ２０１は、複数のページ（少なくともＰ１〜Ｐ４）から構成される。
【００１４】
Ｄ１〜Ｄ３はディスプレイであり、プレゼンテーションを行う打合せスペースや、会議室等に設置されている。ディスプレイＤ１〜Ｄ３は、それぞれ独立して移動させることができる。
【００１５】
２０２〜２０８は表示用データの各ページに対応する画像データがディスプレイＤ１〜Ｄ３のそれぞれに表示されたときの画面を示す。なお、画面２０２〜２０４では同じページ（Ｐ１）が表示されており、また画面２０６及び画面２０７も同じページ（Ｐ３）が表示されている。
【００１６】
図１８に示す例では、まず初めに、ディスプレイＤ１にＰ１が表示され、ディスプレイＤ２及びディスプレイＤ３にはいずれのページも表示されていない。そして、次に、ディスプレイＤ１にＰ１が表示されたままの状態で、ディスプレイＤ２にＰ２が表示され、ディスプレイＤ３にＰ３が表示される。更にその次には、ディスプレイＤ１にＰ１が表示されたままの状態で、ディスプレイＤ２にはＰ３が表示され、ディスプレイＤ３にはＰ４が表示される。
【００１７】
ここで、従来は、発表者が図１８に示すような順序で各ページを表示してプレゼンテーションを行う場合には、図１９に示すような各操作を行う必要がある。
【００１８】
図１９は、従来の技術を用いて、図１８に示した順序で各ページを各ディスプレイに表示させるために必要な操作を説明する図である。図１９において、３０１は画像処理システムに備えられている記憶手段であり、図１８に示す各ページの画像データを含む表示用データ２０１が記憶されている。このようなシステムにおいて図１８に示した順序で表示用データの各ページを各ディスプレイに表示させる場合、以下の手順が必要である。
【００１９】
（Ａ）１ページ目の画像をディスプレイＤ１へ表示させることを指示
（Ｂ）発表
（Ｃ）２ページ目の画像をディスプレイＤ２へ表示させることを指示
（Ｄ）３ページ目の画像をディスプレイＤ３へ表示させることを指示
（Ｅ）発表
（Ｆ）３ページ目の画像をディスプレイＤ２へ表示させることを指示
（Ｇ）４ページ目の画像をディスプレイＤ３へ表示させることを指示
（Ｈ）発表
つまり、発表者は、発表（Ｂ），（Ｅ），（Ｈ）の合間に、操作（Ａ），（Ｃ），（Ｄ），（Ｆ），（Ｇ）を行わなければならない。
【００２０】
このように複数のディスプレイを使用して、表示用データの各ページを各ディスプレイに表示させる場合に、発表者は、プレゼンテーションの合間に複雑な操作を行わなければならず負荷が大きかった。
【００２１】
また、発表者以外の人は、どのページを、どのタイミングで、どのディスプレイに表示させるかを判断することができず、発表者が不在の場合に、プレゼンテーションを行ったり、或いはプレゼンテーションを再現したりすることができないという問題があった。
【００２２】
本発明は、前記の課題を解決するためになされたもので、複数の表示装置を使用してプレゼンテーションを行う場合に、簡単な操作で所望のページを順次切り替えて表示させることができる仕組みを提供することを目的とする。
【課題を解決するための手段】
【００２３】
上記目的を達成するために本発明のデータ処理装置は、複数のページからなる表示用データに含まれる各ページの画像データを複数の表示装置のそれぞれに出力して表示させるデータ処理装置であって、ユーザからの次操作の指示に応じて前記表示用データに含まれる複数のページのうち互いに異なるページを前記複数の表示装置のそれぞれに順次表示させるためのページ指定データを作成する作成手段と、ユーザからの次操作の指示がある毎に、前記作成手段により作成されたページ指定データに基づいて、前記表示用データに含まれる複数のページのうち互いに異なるページの画像データを前記複数の外部表示装置のそれぞれに出力する制御手段とを有することを特徴とする。
【００２４】
また、本発明のデータ処理方法は、複数のページからなる表示用データに含まれる各ページの画像データを複数の表示装置のそれぞれに出力して表示させるデータ処理装置におけるデータ処理方法であって、ユーザからの次操作の指示に応じて前記表示用データに含まれる複数のページのうち互いに異なるページを前記複数の表示装置のそれぞれに順次表示させるためのページ指定データを作成する作成工程と、ユーザからの次操作の指示がある毎に、前記作成工程により作成されたページ指定データに基づいて、前記表示用データに含まれる複数のページのうち互いに異なるページの画像データを前記複数の外部表示装置のそれぞれに出力する制御工程とを有することを特徴とする。
【発明の効果】
【００２５】
複数の表示装置を使用してプレゼンテーションを行う場合に、簡単な操作で所望のページを順次切り替えて表示させることが可能となる。
【発明を実施するための最良の形態】
【００２６】
次に本発明を実施するための最良の形態について図面を参照して説明する。
【００２７】
＜システム構成の説明＞
〔第１実施形態〕
図１は、本実施形態を示すデータ処理システムの構成を説明するブロック図である。
【００２８】
図１において、５０１〜５０３が表示装置であり、これら複数の表示装置５０１〜５０３は表示制御部５０４によって制御される。表示装置５０１〜５０３には、データ処理装置５０８から転送されてくる画像データが表示される。
【００２９】
表示装置５０１〜５０３は、液晶ディスプレイやプロジェクタなど、公知の画像表示技術を用いて画像データを表示するものであれば何であっても構わない。また、表示装置５０１〜５０３は、データ処理装置５０８専用の表示装置として設置されていてもよいし、有線または無線のネットワークを介してデータ処理装置５０８に接続されていてもよい。
【００３０】
表示制御部５０４は、データ処理装置５０８内にあるＶＲＡＭ（Ｖｉｄｅｏ  ＲＡＭ）内の記憶領域を表示装置５０１〜５０３にそれぞれ割り当て、各記憶領域に記憶されている画像データを表示装置５０１〜５０３のそれぞれへ転送する制御を行う。なお、データ処理装置５０８は、ＣＰＵ、ＲＡＭ、ＲＯＭ等のコントローラ部を備え、インタフェースを介して接続される各デバイスを制御する。
【００３１】
また、表示制御部５０４は、表示装置５０１〜５０３へ画像データの転送を停止したり、空データを転送することにより、特定の表示装置の表示ＯＮ／ＯＦＦを切り替えることも可能である。
【００３２】
画像読み取り部５０５は、原稿上の画像を読み取って、当該画像に基づく画像データを生成し、データ処理装置５０８に入力する。なお、このようにして入力された画像データを、表示装置５０１〜５０３に転送して表示させることも可能である。
【００３３】
データ処理装置５０８が複写処理を実行する場合、画像読み取り部５０５から入力された画像データを印刷データへ変換する処理を行い、印刷装置５０７に転送する。印刷装置５０７は、転送された画像データを記録媒体上に印刷する。
【００３４】
データ処理装置５０８がプリント処理を実行する場合、ネットワークＩ／Ｆ５１１を介してデータ処理装置５０８と接続されたクライアントＰＣ等からプリントデータを受信し、印刷装置５０７が印刷することが可能な形式のラスターデータに変換する。印刷装置５０７は、ラスターデータを受け取って記録媒体上に印刷する。なお、上述した方法でクライアントＰＣから受信したプリントデータに基づく画像データを、表示装置５０１〜５０３に表示させることも可能である。
【００３５】
データ処理装置５０８に対する操作は、キー操作部やキーボードおよびマウスなどのポインティングデバイスから構成される入力装置５１０を用いて行われる。なお、リモコンなどの遠隔操作端末からの信号を図示しない受信部で受信して、入力装置５１０を介して入力できるようにしても構わない。
【００３６】
内部表示装置５０９は、データ処理装置５０８に対する操作、データ処理装置５０８の状態等の表示するために使用される。内部表示装置５０９への表示や入力装置５１０からの入力の制御は、データ処理装置５０８内の図示しないユーザインタフェース制御部で制御される。
【００３７】
また、データ処理装置５０８に対する画像データの入力処理は、内部表示装置５０９と入力装置５１０とを使用して、不図示のデータ作成ソフトウエアをＣＰＵが実行することで実現される。ここで、データ作成ソフトウエアとしては、プレゼンテーションに関する処理を行うプレゼンテーションアプリケーション等が含まれる。
【００３８】
ここで、入力処理とは、画像読み取り部５０５を使用して原稿画像の入力処理を行う処理と、クライアントＰＣ等からネットワークＩ／Ｆ５１１を経て入力される画像データの受信処理等が含まれる。
【００３９】
また、データ処理装置５０８に入力された画像データを記憶装置５０６内に格納しておくこともできる。データ処理装置５０８は、一連の画像データをファイルとして管理するための不図示のファイルシステムを備える。
【００４０】
以下、複数の表示装置５０１〜５０３を用いたプレゼンテーションの一例を説明する。
【００４１】
図２は、本実施形態を示すデータ処理システムにおけるプレゼンテーションの形態を説明する図である。なお、図１と同一のものには同じ符号を付してある。
【００４２】
図２において、１０１はプレゼンテーションを行う発表者である。１０２はデータ処理システムで、図１に示したデータ処理装置５０８や表示装置５０１〜５０３などを含んで構成されている。１０３は聴講者で、表示装置５０１〜５０３に表示される画面を閲覧する。
【００４３】
このプレゼンテーションでは、複数の表示装置５０１〜５０３が使用されており、それぞれデータ処理システム１０２とインタフェースを介して接続されている。
【００４４】
データ処理システム１０２は、発表者１０１が入力装置５１０を操作することで、接続されている表示装置５０１〜５０３に表示用データの各ページに対応する画像データを表示させる。
【００４５】
図３は、図２に示した発表者１０１が行う表示操作の手順を説明する図である。
【００４６】
図３において、４０１〜４０３は所定のタイミングにおいて各表示装置に同時に表示されるべきページのセットを示し、複数の表示装置５０１〜５０３のそれぞれに表示すべきページのページ番号が示されている。なお、表示用データに含まれる複数のページのうち互いに異なるページを複数の表示装置のそれぞれに順次表示する際の表示順序を示すデータであるページ指定データについては後述する。
【００４７】
まず、４０１では、表示装置５０１にはＰａｇｅ１の画像データを表示し、表示装置５０２，５０３には何も表示しない。なお、何も表示しない場合には、後述するリスト構造体で指定されるリストに、ＮＵＬＬが指定されていることを意味する。
【００４８】
セット４０１の表示が行われている状態で、ユーザからの次操作の指示があった場合には、セット４０２の状態に移行する。なお、ここでは、次操作の指示とは、入力装置５１０上の所定のボタンを発表者が１回押下することによりデータ処理装置５０８に入力されるものとするが、他の態様であっても構わない。例えば、各種センサを用いて発表者の動作と連動させて自動的にデータ処理装置５０８に次操作の指示を入力するようにしても構わない。
【００４９】
次に、セット４０２では、表示装置５０１にＰａｇｅ１の画像データを表示し、表示装置５０２にＰａｇｅ２の画像データを表示し、表示装置５０３にＰａｇｅ３の画像データを表示する。セット４０２の表示が行われている状態で、ユーザから更に次操作の指示があった場合には、セット４０３の状態に移行する。
【００５０】
セット４０３では、表示装置５０１にＰａｇｅ１の画像データを表示し、表示装置５０２にＰａｇｅ３の画像データを表示し、表示装置５０３にＰａｇｅ４の画像データを表示する。なお、各ページの画像データは、ユーザからの次操作の指示がある毎に、記憶装置５０６からデータ処理装置５０８のファイルシステムが読み出して、表示制御部５０４の制御により対応する表示装置５０１〜５０３に転送される。
【００５１】
以下、発表者１０１が行う操作に関して、図１９に示す従来例と、図３に示す本実施形態における手順とを比較しながら、本実施形態におけるプレゼンテーション処理を説明する。
【００５２】
図１８に示した画面２０２を表示するためには、図１９に示す例では、発表者１０１が操作（Ａ）を行う。一方、図３に示す例では、データ処理装置５０８がユーザからの次操作の指示に従って、ページＰ１の画像データが表示装置５０１へ転送され表示される。
【００５３】
次に、図１８に示した画面２０３，２０５，２０６を表示するためには、図１９に示す例では、発表者１０１が操作（Ｃ）、（Ｄ）を行う。これに対して、図３に示す例では、データ処理装置５０８がユーザからの次操作の指示に従って、ページＰ１を表示装置５０１に表示させた状態で、ページＰ２を表示装置５０２に、ページＰ３を表示装置５０３に表示させる。
【００５４】
図１８に示した画面２０４，２０７，２０８を表示させる場合には、図１９に示す例では、発表者１０１が操作（Ｆ），（Ｇ）を行う。これに対して、図３に示す例では、データ処理装置５０８がユーザからの次操作の指示に従って、ページＰ１を表示装置５０１に表示させた状態で、ページＰ３を表示装置５０２に、ページＰ４を表示装置５０２に、それぞれ表示させる。
【００５５】
これにより、画面２０２〜２０８をそれぞれ表示する場合に、従来ならば、発表者１０１は、５回の操作（Ａ），（Ｃ），（Ｄ），（Ｆ），（Ｇ）が必要となるが、本実施形態によれば、発表者１０１は計３回の操作で済む。更に、本実施形態では、従来と比較して、単に操作の回数が減るだけではなく、後述するページ指定データを作成しておくことにより、１回の操作が容易なものとなる。つまり、従来は、どのページをどの表示装置に表示させるかを１回の操作の中で指定する必要があるが、本実施形態では、どのページをどの表示装置に表示させるかは予め指定されているため、発表者１０１は少なくとも１つの所定のボタンを１度押下すれば済む。
【００５６】
したがって、発表者１０１が複数の表示装置を使用してプレゼンテーションを行う場合の操作負担を軽減できる。なお、本実施形態では、３台の表示装置を使用する例を示したが、その数が増えれば増える程、本実施形態の構成による発表者１０１の操作負担が顕著に軽減される。
【００５７】
図４は、本実施形態に係るページ指定データのデータ構造を説明する図である。なお、ページ指定データとは、表示用データに含まれる複数のページのうち、どのページをどのタイミングでどの表示装置に表示すべきかを示すデータである。ここで、ページ指定データは、特定のアプリケーションを実行することにより作成される例を示すが、他の方法によるものであってもよい。なお、ページ指定データは、表示装置と、その表示装置に表示すべきページとの組み合わせをリスト構造で管理する。
【００５８】
図４において、６０１はリスト構造体で、リストの中身のデータを指すＣＡＲ部６０３と、次のリスト構造体を指すＣＤＲ部６０２とから構成されている。以下、リスト構造体をリストと称する。
【００５９】
以下、リスト構造体を詳細に説明する。なお、図中の矢印の先が次のリストに触れている場合には次のリストへのポインタを持っており、矢印の先が次のリストに触れていない場合にはそこでＮＵＬＬ（ＮＩＬ）を持っていることを示す。
【００６０】
リスト６０４、６１２、６１３は、図１８に示したプレゼンテーションを実行する場合に、表示装置５０１、５０２、５０３に表示すべきページを指定するためのリスト構造体のトップである。
【００６１】
ここで、リスト６０４のＣＡＲ部にあたるリスト６０５は、各画面遷移においていくつの表示装置の表示を制御すればよいかを示すリスト構造体のトップである。
【００６２】
リスト６０５のＣＤＲ部にはリスト６０６が続き、リスト６０６のＣＤＲ部にはリスト６０７が続いている。
【００６３】
リスト６０７のＣＤＲ部はＮＵＬＬを持っており、リストはそこで終了する。
【００６４】
よって、リスト６０４からスタートする画像データの表示指定は、リスト６０５〜６０７に相当する３つの表示装置に画像データを表示させることを指定している。
【００６５】
リスト６０５のＣＡＲ部にあたるリスト６０８は、ＣＡＲ部に対象となる表示装置を特定するための識別子６０９「Ｄｉｓｐｌａｙ１」を持ち、ＣＤＲ部には表示すべきページを示すリスト６１０を持つ。
【００６６】
ここで、リスト６１０はＣＡＲ部に表示すべきページを示す「Ｐａｇｅ１」を持っているため、リスト６０５のＣＡＲ部から始まる一連のリストは、「Ｄｉｓｐｌａｙ１にＰａｇｅ１を表示する」という指定になる。
【００６７】
リスト６０６とリスト６０７はそれぞれリスト構造体の先に識別子「Ｄｉｓｐｌａｙ２」と「Ｄｉｓｐｌａｙ３」を持つが、リスト６１１とリスト６１７のＣＡＲ部に画像データを持っていない。そのため、リスト６０６とリスト６０６のＣＡＲ部から始まる一連のリストは、それぞれ、「Ｄｉｓｐｌａｙ２には何も表示しない」、「Ｄｉｓｐｌａｙ３には何も表示しない」ということが指定されていることになる。
【００６８】
このように、リスト６０４のＣＡＲ部からなる一連のリストは、「Ｄｉｓｐｌａｙ１にＰａｇｅ１を表示する」、「Ｄｉｓｐｌａｙ２には何も表示しない」、「Ｄｉｓｐｌａｙ３には何も表示しない」という指定を実現する。
【００６９】
同様にして、リスト６１２のＣＡＲ部から始まる一連のリストは、「Ｄｉｓｐｌａｙ１にＰａｇｅ１を表示する」、「Ｄｉｓｐｌａｙ２にＰａｇｅ２を表示する」、「Ｄｉｓｐｌａｙ３にＰａｇｅ３を表示する」という指定を実現する。
【００７０】
また、リスト６１３のＣＡＲ部から始まる一連のリストは、Ｄｉｓｐｌａｙ１にＰａｇｅ１を表示する」、「Ｄｉｓｐｌａｙ２にＰａｇｅ３を表示する」、「Ｄｉｓｐｌａｙ３にＰａｇｅ４を表示する」という指定を実現する。なお、識別子Ｄｉｓｐｌａｙ１〜３は、図１に示した表示装置５０１〜５０３にそれぞれ対応する識別子である。
【００７１】
以上のように、図１８における画面２０２〜２０８を表示させるために発表者１０１が行う操作は、図４に示した操作６１４〜６１６である。そして、これらの操作指示に応じて、表示制御部５０４とデータ処理装置５０８は、対応するリスト構造体６０４，６１２，６１３に従って表示制御を行う。
【００７２】
リスト構造体６０４からリスト構造体６１２へ、またリスト構造体６１２からリスト構造体６１３へと切り替えるイベントは、発表者１０１が入力装置５１０を構成するキーボードやポインティングデバイスなどを操作して指示する。なお、発表者１０１の指示に従って、その補佐者が入力装置５１０を構成するキーボードやポインティングデバイスなどを操作して指示する場合もあり得る。
【００７３】
図５は、本実施形態のデータ処理装置における第１のデータ処理手順の一例を示すフローチャートである。本例は、データ処理装置５０８に保持されているページ指定データに基づいて、記憶されている各ページの画像データを複数の表示装置に出力してマルチ画面でプレゼンテーションを行う処理例である。なお、Ｓ１〜Ｓ６は各ステップを示す。
【００７４】
また、各ステップは、データ処理装置５０８内のＣＰＵが記憶装置５０６に記憶された制御プログラムをＲＡＭにロードして実行することで実現される。また、本処理は、特定のプレゼンテーションアプリケーションに組み込んで起動するように構成してもよいし、単体のプレゼンテーションアプリケーションとして起動する構成としてもよい。そこで、本処理は前者の例とする。
【００７５】
プレゼンテーションアプリケーションを実行すると、本処理が開始され、Ｓ１で、データ処理装置５０８のＣＰＵは、データ処理装置５０８内のメモリに保持されているページ指定データの一覧を表示して、発表者１０１に選択させる。
【００７６】
次に、Ｓ２で、データ処理装置５０８のＣＰＵは、選択されたページ指定データの最初のリストを読み出して、Ｓ３へ進む。ページ指定データの最初のリストとは、例えば図４に示す例では、リスト６０４である。
【００７７】
そして、Ｓ３で、データ処理装置５０８のＣＰＵは、読み出したページ指定データに基づいて、記憶装置５０６に記憶された各ページの画像データを読み出し、ページ指定データで指定されている識別子に対応する表示装置に出力する。これにより、表示装置５０１には、Ｐａｇｅ１の画像データが表示される。
【００７８】
そして、Ｓ４で、データ処理装置５０８のＣＰＵは、発表者１０１またはその補佐者が入力装置５１０から次操作を指示しているかどうかを判断する。
【００７９】
ここで、データ処理装置５０８のＣＰＵが次操作を指示していると判断した場合は、さらに、データ処理装置５０８のＣＰＵは、Ｓ５において、Ｓ１で選択されたページ指定データに、次の操作に対応するリストがあるかどうかを判断する。ここで、データ処理装置５０８のＣＰＵが次のリストがあると判断した場合は、Ｓ６へ進む。そして、Ｓ６で、データ処理装置５０８のＣＰＵは、ページ指定データに基づいて、記憶装置５０６に記憶された各ページの画像データを読み出し、Ｓ３へ戻り、ページ指定データで指定される識別子に対応するいずれかの表示装置に出力する。
【００８０】
これにより、表示装置５０１には、Ｐａｇｅ１の画像データが表示され、表示装置５０２には、Ｐａｇｅ２の画像データが表示され、表示装置５０３には、Ｐａｇｅ３の画像データが表示される。
【００８１】
なお、Ｓ４で、データ処理装置５０８のＣＰＵが、次操作が指示されていないと判断した場合は、本処理を終了する。
【００８２】
本実施形態によれば、複数の表示装置を使用してプレゼンテーションを実行する場合に、発表者１０１は、同時に使用する表示装置の台数が増えても、簡単な操作で各表示装置に各ページに対する画像データを表示させることができる。
【００８３】
〔第２実施形態〕
図６は、本実施形態を示すデータ処理システムにおけるページ指定データを説明する図である。本例は、図４に示したリスト構造体をプログラム言語であるＬｉｓｐ（ＬＩＳｔ  Ｐｒｏｃｅｓｓｉｎｇ  ｌａｎｇｕａｇｅ  ）での表記にならってテキストデータ化した例である。
【００８４】
このようにリストの中に（Ｄｉｓｐｌａｙ  Ｄａｔａ）と記載することで特定の表示装置に表示させるべきページを指定でき、このようなリストを複数持つことで、複数のディスプレイのそれぞれに表示させるべきページを指定することができる。
【００８５】
そして、このテキストデータをデータ処理装置５０８内にある不図示のインタープリタが解釈することで、複数の表示装置５０１〜５０３に表示すべきページを決定することができる。そして、データ処理装置５０８は、決定されたページに対応する画像データを表示制御部５０４に出力する。これにより、複数の表示装置５０１〜５０３を使用するプレゼンテーションにおいて、簡単な操作で、外部表示装置５０１〜５０３へ意図するページの画像データを表示させる制御を行うことができる。
【００８６】
また、作成されたテキストデータを記憶装置５０６に格納し、入力装置５１０などの入力にしたがって再度読み出すことで、プレゼンテーション時の複数の表示装置を用いた画面遷移を再現することも可能となる。
【００８７】
〔第３実施形態〕
図７は、図１に示した内部表示装置５０９に表示されるユーザインタフェースの一例を示す図である。
【００８８】
図７において、７１は２台の表示装置を用いてプレゼンテーションを行う場合に選択されるボタンである。７２は３台の表示装置を用いてプレゼンテーションを行う場合に選択されるボタンである。ボタン７１が選択されると、あらかじめ記憶装置５０６に記憶されたページ指定データであって、２台の表示装置を用いてプレゼンテーションを行えるようにそれぞれ表示すべきページが指定されているページ指定データが読み出される。また、ボタン７２が選択されると、あらかじめ記憶装置５０６に記憶されたページ指定データであって、３台の表示装置を用いてプレゼンテーションを行えるようにそれぞれ表示すべきページが指定されているページ指定データが読み出される。
【００８９】
このように、互いに内容が異なる複数のページ指定データを記憶装置５０６に格納し、入力装置５１０から任意のページ指定データを選択することで、各ページの表示方法を選択することが可能である。
【００９０】
例えば、表示装置の故障などにより３台の表示装置のうち１台が使用不可能になったとすると、２台の表示装置を用いてプレゼンテーションを行うために作成されたページ指定データがあれば、プレゼンテーションの実行や再現に支障をきたすことがなくなる。
【００９１】
〔第４実施形態〕
図８は、本実施形態を示すデータ処理システムの構成を説明するブロック図である。
【００９２】
図８に示すのは、データ処理システムに接続されている表示装置の数に応じて、記憶装置５０６に格納されている複数のページ指定データの中から適切なページ指定データを自動的に選択する例である。
【００９３】
図８において、９０１は通信データで、表示制御部５０４からデータ処理装置５０８へ通知される表示装置の数を含んでいる。データ処理装置５０８は、通知された表示装置の数に応じて、記憶装置５０６に格納されている複数のページ指定データの中から適切なページ指定データを自動的に選択し、通信データ９０２で受信する。
【００９４】
これにより、発表者１０１は、入力装置５１０においてページ指定データを選択するための操作を行わなくても、使用可能な表示装置の台数に応じた適切なページ指定データを記憶装置５０６から読み出すことができる。
【００９５】
〔第５実施形態〕
複数の表示装置を使用して、プレゼンテーションを行う場合、画像データを表示する表示装置の配置（並び）が重要である。
【００９６】
図９は、本実施形態を示すデータ処理システムの表示装置の配置例を示す図である。
【００９７】
図１０は、図９に示した表示装置の配置の変更を説明するブロック図である。
【００９８】
例えば、図９の（ａ）に示すように、会場Ａでのプレゼンテーションを考えて作成されたデータは、図９の（ｂ）に示すように会場Ｂでのプレゼンテーションでは表示装置５０１と表示装置５０２に対する指定を入れ替える必要がある。
【００９９】
しかしながら、使用する表示装置の台数が増えると、ページ指定データを変更するための作業負荷が大きくなってしまう。
【０１００】
そこで、図１０に示す例では、画像データの出力先となる表示装置を切り替える切替手段を設け、表示装置の配置の変更に応じて、出力先を自動的に切り替える。
【０１０１】
本例では、図１０の（ａ）に示す、会場Ａにおける表示装置５０１への出力を、会場Ｂでは表示装置５０２への出力に、また、会場Ａにおける表示装置５０２への出力を、会場Ｂでは表示装置５０１への出力に、それぞれ切り替える例である。
【０１０２】
なお、切替処理は、データ処理装置５０８内で作成されたページ指定データの内容を自動的に修正するようにしてもよいし、ページ指定データ自体の内容を修正せずに、表示制御部５０４で出力先の切り替えを行うようにすることも可能である。
【０１０３】
これにより、プレゼンテーションを行う際に使用する各表示装置の配置変更に対して柔軟に対応することでき、かつ、そのような配置変更に対するページ指定データの修正にかかる作業負担も軽減される。
【０１０４】
〔第６実施形態〕
図１１は、図１に示した記憶装置５０６に登録される表示用データとページ指定データの一例を示す図である。
【０１０５】
本例は、複数のページからなる表示用データＤ１〜Ｄ３を記憶装置５０６に登録する際に、それぞれの表示用データＤ１〜Ｄ３に対応するページ指定データＤ１１、Ｄ２２、Ｄ３３を、各表示用データＤ１〜Ｄ３に対応付けて保持するようにした例である。
【０１０６】
これにより、記憶装置５０６内に、Ｐａｇｅ１から始まる一連の画像データを含む表示用データを複数格納する場合でも、ページ指定データを選択するための操作負担が軽減される。つまり、発表者１０１が記憶装置５０６内の表示用データを選択することにより、対応するページ指定データが自動的に選択されるので、ページ指定データを選択する必要がなくなる。
【０１０７】
なお、表示用データとページ指定データとは１対１で対応付けておくものに限らず、１対多で対応付けることができるようにしてもよい。例えば、１つのページ指定データに複数の表示用データを対応付けておけば、表示用データ毎に個別にページ指定データを作成しておかなくてもよくなり作業負荷が軽減されるとともに、多数のページ指定データを保持しなくても済むのでメモリ資源を節約できる。
【０１０８】
また、１つの表示用データに複数のページ指定データを対応付けるようにしてもよい。例えば、第３実施形態として上述したように、２台の表示装置を用いて行うプレゼンテーション用と、３台の表示装置を用いて行うプレゼンテーション用とにそれぞれページ指定データを作成しておき、１つの表示用データに対応付けて保持しておいてもよい。
【０１０９】
〔第７実施形態〕
上記第１実施形態では、ページ指定データを作成した時に考慮した表示装置の数と、実際にプレゼンテーションを行う場所の表示装置の数が同数の場合について説明した。
【０１１０】
しかしながら、会場の都合や表示装置の故障により、ページ指定データを作成した時に考慮していた表示装置の数と、プレゼンテーションを行う場所の表示装置の数とが異なる場合がある。以下、ページ指定データを作成した時に考慮した表示装置の数と、プレゼンテーションを行う場所の表示装置の数とが異なる場合について説明する。
【０１１１】
図１２は、本実施形態を示すデータ処理システムにおける画像データ処理の一例を示す図である。
【０１１２】
本例は、データ処理装置５０８が、あらかじめ作成されたページ指定データの内容を、使用する表示装置の数に応じて自動的に修正する例である。図１２に示す例は、例えば３台の表示装置を前提に作成したページ指定データに対し、会場で使用できる表示装置の数が２台だった場合を示している。なお、図３と同一のものには同一の符号を付してある。
【０１１３】
図１２に示す例では、１３０２において、ページＰ１，ページＰ２，ページＰ３のそれぞれを３台の表示装置に表示させることがページ指定データにより指定されている。しかしながら、実際には２台の表示装置しか使用することができない。
【０１１４】
そこで、本実施形態では、ページ指定データを自動的に修正して、２台の外部表示装置５０１、５０３を使用してページＰ１〜Ｐ３を表示できるように、３台の表示装置５０１〜５０３を前提に作成されたページ指定データを修正する例である。
【０１１５】
第１の修正例では、１３０１に示すように、３ページ分の画像データを均等に縮小し、２台の表示装置に収まるようにレイアウトするようにページ指定データを修正する。
【０１１６】
また、第２の修正例では、１３０２に示された優先情報を用いて修正を行う。各ページ間の優先情報は、予めページ指定データを作成する際に発表者１０１により予め指定されているものである。そして、１３０３に示すように、ページＰ１〜Ｐ３のうち、優先度の高いＰ１及びＰ３をそれぞれ表示装置５０１及び５０３に表示し、優先度の低いページＰ２は表示しないようにページ指定データを修正する。
【０１１７】
また、第３の修正例では、第２の修正例と同様にして優先情報を参照し、１３０４に示すように、優先度の高いページＰ３は表示装置５０３に表示し、優先度の低いページＰ１及びＰ２は縮小して表示装置５０１に表示するようにページ指定データを修正する。
【０１１８】
一方、会場で使用できる表示装置の数が、ページ指定データを作成するときに考慮していた表示装置の数よりも多い場合について以下に説明する。
【０１１９】
会場の表示装置の数が多い場合、データ処理装置５０８は、最も優先度の高いページの画像データを複数の表示装置の画面上でまたがるように大きく表示するようにページ指定データを修正する。或いは、優先度が最も高いページまたはＡｇｅｎｄａを指定しそのページの画像データを常にいずれかの表示装置に表示しておくようにページ指定データを修正してもよい。また、このとき、余分な表示装置を使用しないようにする修正を行ってもよい。
【０１２０】
〔第８実施形態〕
以下、図１に示した記憶装置５０６に記憶される表示用データの登録処理と表示用データの送信処理とを行うシステムにおける、ページ指定データの自動登録処理について説明する。
【０１２１】
図１において、データ処理装置５０８は、ネットワークＩ／Ｆ５１１を使用し、外部装置から送信された画像データを受信して記憶装置５０６に格納する。
【０１２２】
また、データ処理装置５０８は、入力装置５１０からの指示に基づいて、記憶装置５０６内に記憶された画像データをネットワークＩ／Ｆ５１１を使用して外部へ送信する。
【０１２３】
このような構成を備えるデータ処理システムにおいては、データ処理装置５０８は、上述したページ指定データを、外部装置から画像データ（表示用データ）とともに受信して記憶装置５０６に登録する。
【０１２４】
これにより、データ処理装置５０８で、記憶装置５０６に登録された表示用データに対するページ指定データの作成や登録処理にかかる作業負荷を軽減することができる。
【０１２５】
〔第９実施形態〕
図１３、図１４は、本実施形態を示すデータ処理システムにおける画像データのレイアウト出力例を説明する図である。
【０１２６】
図１３は、図１に示した印刷装置５０７が備える一般的なレイアウト出力処理を示している。
【０１２７】
図１３において、１４０１は表示用データで、複数のページから構成されて、記憶装置５０６に記憶されている。１４０２はレイアウト出力で、例えば４ページ分の画像データを１枚の記憶媒体の片面にレイアウトして出力する４ｉｎ１出力の例である。
【０１２８】
本実施形態では、このようなレイアウト印刷処理機能を備える印刷装置５０７を使用して、ページ指定データの内容を反映させたレイアウト出力を行う。
【０１２９】
上述したように、複数の表示装置を使用したプレゼンテーションでは、関連のある複数ページの画像データを同時に表示することで、聴講者にとって分かりやすいプレゼンテーションを提供することができる。このため、プレゼンテーションで使用した表示用データを印刷装置５０７で印刷する場合、出来る限りプレゼンテーションで表示されたページの組み合わせでレイアウトすることが望ましい。
【０１３０】
そこで、図１４に示す例では、データ処理装置５０８が、ページ指定データの内容に従って、表示用データに含まれる複数のページの中から、１枚の記録媒体にレイアウト出力するページを自動的に選択する。そして、印刷装置５０７は、データ処理装置５０８が選択したページの画像データをレイアウトして、レイアウト１５０２を得る。
【０１３１】
これにより、関連のある複数ページの画像データをレイアウト出力させることができる。
【０１３２】
〔第１０実施形態〕
上記第１実施形態では、図４に示すリスト構造体を使用して、プレゼンテーションで表示するページを指定する例について説明した。この場合、表示される各ページの画像データは、図１に示した記憶装置５０６に記憶されている１つの表示用データに含まれていることを前提としたが、表示装置に表示させる画像データは他の方法を用いて取得してもよい。即ち、本実施形態では、記憶装置５０６に記憶されている他の表示用データに含まれるページの画像データを表示装置に表示させるように指定できるようにしている。或いは、ネットワークＩ／Ｆ５１１を介して接続された外部のデータ源から表示すべきページの画像データを取得し表示することを指摘できるように構成してもよい。以下、その実施形態について説明する。
【０１３３】
本実施形態では、外部のデータ源としてコンテンツを管理するようなサーバ装置を想定している。ここで、サーバ装置は、記憶装置を備え、その記憶装置内に種々のコンテンツを登録してネットワークからの取得要求に応答する機能を備えている。
【０１３４】
図１５は、本実施形態を示すデータ処理システムにおけるリスト構造体の一例を示す図である。本例は、図４に示したリスト構造体のリストで表示したいページの画像データに対応するＵＲＬを指定する例である。なお、図１５の（ａ）はリスト構造体で指定する場合に対応し、図１５の（ｂ）は同様の内容をテキストデータで指定する場合である。
【０１３５】
図１５に示す例では、Ｄｉｓｐｌａｙ１には１つ目の表示用データ（文書１）のＰａｇｅ１に対応する画像データを表示させ、Ｄｉｓｐｌａｙ２には２つ目の表示用データ（文書４）のＰａｇｅ２に対応する画像データを表示させることが指定されている。更に、リスト６１７のＣＡＲ部には外部のデータ源にて記憶されている画像データに対応するＵＲＬとして、「ＵＲＬ１」が指定されている。
【０１３６】
これにより、Ｄｉｓｐｌａｙ３にはＵＲＬ１に対応する画像データが表示される。なお、ＵＲＬ１で指定される画像データは、上述したようにデータ処理装置５０８が取得する。
【０１３７】
これにより、記憶装置５０６に記憶されている複数の表示用データに含まれる各ページの画像データや、他のデータ源から取得する画像データを組み合わせて、それぞれの画像データを簡単な操作で複数の表示装置に表示させることができる。
【０１３８】
なお、データ処理装置５０８あるいは表示制御部５０４あるいは表示装置５０１〜５０３が動画表示機能を備えている場合、リストのＣＡＲ部で動画データを指すことにより特定のディスプレイにて指定した動画を再生することも可能である。
【０１３９】
〔第１１実施形態〕
図１６は、本実施形態を示すデータ処理システムにおけるユーザインタフェースの一例を示す図である。本例は、図１に示した内部表示装置５０９に表示されるページ指定データ作成用のユーザインタフェース例である。なお、本ユーザインタフェース１７００は、データ処理装置５０８のアプリケーションが表示処理を行う。
【０１４０】
図１１において、１７０１はページ選択領域で、表示装置に表示するための画像データを選択する部分である。本実施形態では、表示用データに含まれる複数のページの中から表示したいページを入力装置５１０で選択可能に構成されている。
【０１４１】
この場合、操作者は、入力装置５１０を操作してユーザインタフェース１７００のページ選択領域１７０１に表示される表示用データの名称と各表示用データに含まれるページの画像データを選択することが可能となっている。
【０１４２】
１７０２は表示装置選択領域で、ページ選択領域１７０１で選択したページの画像データを表示する表示装置を指定する。本例では、表示装置５０１〜５０３を画像データの出力先として使用可能な例を示す。従って、本実施形態は、３つの表示装置を対象としたページ指定データを作成することが可能となっている。
【０１４３】
１７０３は、複数の表示装置５０１〜５０３へどのような内容の画像データを表示させるかを明示している表示領域である。
【０１４４】
なお、本実施形態では、表示切り替えの単位を「Ｓｃｅｎｅ」として表記し、各Ｓｃｅｎｅにおいて使用する表示装置の数と同等のページを指定することが可能である。
【０１４５】
また、本実施形態では、いずれのページも指定されていない部分は表示装置の表示をＯＦＦにすることを示しており、更に、破線で囲まれた領域１６０１〜１６０３はまだ画像データの行う／行わないの指定すらされていないことを示している。
【０１４６】
以下、ユーザインタフェース１７００を用いたページ指定データ作成処理を説明する。
【０１４７】
操作者は、内部表示装置５０９に表示されるユーザインタフェース１７００内の、表示装置選択領域１７０２の表示装置の縦方向への並びを参照して、表示領域１７０３へ表示すべきページの指定を行う。
【０１４８】
このように、本実施形態では、ユーザインタフェース１７００の表示装置選択領域１７０２を見るだけで、どの表示装置にどのページが対応づいているかを直感的に視認可能となっている。なお、表示装置選択領域１７０２内の表示装置５０１〜５０３の配置順序は入れ替え可能に構成されている。
【０１４９】
次に、操作者は、ページ選択領域１７０１から表示すべきページを選択し、表示領域１７０３の各「Ｓｃｅｎｅ」毎に表示すべきページの指定を行う。
【０１５０】
そして、ユーザインタフェース１７００中に図示しないＯＫボタン等をユーザが指示すると、データ処理装置５０８がアプリケーションを実行して、表示領域１７０３に指定されたページの画像データを表示装置に表示させるためのページ指定データを作成する。
【０１５１】
これにより、操作者は、ユーザインタフェース１７００に対して、簡単な操作を行うだけで、複数の表示装置に画像データを表示させるためのページ指定データを簡単に作成することができる。
【０１５２】
〔第１２実施形態〕
以下、図１７に示すメモリマップを参照して本発明に係る情報処理装置で読み取り可能なデータ処理プログラムの構成について説明する。
【０１５３】
図１７は、本発明に係る情報処理装置で読み取り可能な各種データ処理プログラムを格納する記憶媒体のメモリマップを説明する図である。
【０１５４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５６】
本実施形態における図５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５７】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５８】
この場合、記憶媒体から読み出されたプログラムコード自体が本発明の新規な機能を実現することになり、そのプログラムコードを記憶した記憶媒体は本発明を構成することになる。
【０１５９】
従って、プログラムの機能を有していれば、オブジェクトコード、インタープリタにより実行されるプログラム、ＯＳに供給するスクリプトデータ等、プログラムの形態を問わない。
【０１６０】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１６１】
この場合、記憶媒体から読出されたプログラムコード自体が前述した実施形態の機能を実現することになり、そのプログラムコードを記憶した記憶媒体は本発明を構成することになる。
【０１６２】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１６３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１６４】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１６５】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６６】
本発明は上記実施形態に限定されるものではなく、本発明の趣旨に基づき種々の変形（各実施形態の有機的な組合せを含む）が可能であり、それらを本発明の範囲から除外するものではない。
【０１６７】
本発明の様々な例と実施形態を示して説明したが、当業者であれば、本発明の趣旨と範囲は、本明細書内の特定の説明に限定されるのではない。
【図面の簡単な説明】
【０１６８】
【図１】本実施形態のデータ処理システムの構成を説明するブロック図である。
【図２】本実施形態を示すデータ処理システムにおけるプレゼンテーションの形態を説明する図である。
【図３】プレゼンテーション中の発表者による操作を示す図である。
【図４】ページ指定データのデータ構造を説明する図である。
【図５】本実施形態を示す情報処理装置における第１のデータ処理手順の一例を示すフローチャートである。
【図６】本実施形態を示すデータ処理システムにおけるページ指定データを説明する図である。
【図７】図１に示した内部表示装置に表示されるユーザインタフェースの一例を示す図である。
【図８】本実施形態を示すデータ処理システムの構成を説明するブロック図である。
【図９】本実施形態を示すデータ処理システムの表示装置の配置例を示す図である。
【図１０】図９に示した表示装置の配置の変更を説明するブロック図である。
【図１１】図１に示した記憶装置に登録される表示用データとページ指定データの一例を示す図である。
【図１２】本実施形態を示すデータ処理システムにおける画像データ処理の一例を示す図である。
【図１３】本実施形態を示すデータ処理システムにおける画像データのレイアウト出力例を説明する図である。
【図１４】本実施形態を示すデータ処理システムにおける画像データのレイアウト出力例を説明する図である。
【図１５】本実施形態を示すデータ処理システムにおけるリスト構造体の一例を示す図である。
【図１６】本実施形態を示すデータ処理システムにおけるユーザインタフェースの一例を示す図である。
【図１７】本発明に係るデータ処理装置で読み取り可能な各種データ処理プログラムを格納する記憶媒体のメモリマップを説明する図である。
【図１８】プレゼンテーション処理を説明する説明する図である。
【図１９】図１８に示したプレゼンテーション処理において、従来技術を用いて各ページの画像データを複数の表示装置に表示するための手順を説明する図である。
【符号の説明】
【０１６９】
５０１〜５０３  表示装置
５０４  表示制御部
５０５  画像読み取り部
５０６  記憶装置
５０７  印刷装置
５０８  データ処理装置
５０９  内部表示装置
５１０  入力装置
【図１】
2009251867.tif 000003
【図２】
2009251867.tif 000004
【図３】
2009251867.tif 000005
【図４】
2009251867.tif 000006
【図５】
2009251867.tif 000007
【図６】
2009251867.tif 000008
【図７】
2009251867.tif 000009
【図８】
2009251867.tif 000010
【図９】
2009251867.tif 000011
【図１０】
2009251867.tif 000012
【図１１】
2009251867.tif 000013
【図１２】
2009251867.tif 000014
【図１３】
2009251867.tif 000015
【図１４】
2009251867.tif 000016
【図１５】
2009251867.tif 000017
【図１６】
2009251867.tif 000018
【図１７】
2009251867.tif 000019
【図１８】
2009251867.tif 000020
【図１９】
2009251867.tif 000021